(57)【要約】【課題】上あごに装着されるマウスピース表面に突起を設けることでほうれい線の予防改善を行う美顔補助器具において、より効果を高めるべく顔回りの筋肉を鍛えることができるようにすることを課題とする。【解決手段】美顔補助具として、上あごの歯に装着される上部マウスピース（１０）と、前記上部マウスピース（１０）の前面側に設けられる突起（３０）と、前記上部マウスピース（１０）の下面側に設けられる弾性部材からなる噛み締め部材（４０）とより構成する。【選択図】  図１
0003193538.tif 000002
【実用新案登録請求の範囲】
【請求項１】
上あごの歯に装着される上部マウスピースと、
前記上部マウスピースの前面側に設けられる突起と、
前記上部マウスピースの下面側に設けられる弾性部材からなる噛み締め部材と、
を有する美顔補助具。
【請求項２】
前記上部マウスピースは、歯を装着する穴が歯肉に達する深さを有するものであって、歯肉に面する内面に歯肉に当接する多数の突起が設けられるものである請求項１に記載の美顔補助器具。
【請求項３】
前記美顔補助具において、さらに、
下あごの歯に装着される下部マウスピースを有し、当該下部マウスピースの上面側は前記かみ締め部材の下面に接合しているものである
請求項１又は２に記載の美顔補助器具。
【請求項４】
前記下部マウスピースは、歯に装着する穴が歯肉に達する深さを有するものであって、歯肉に面する内面に歯肉に当接する多数の突起が設けられるものである請求項３に記載の美顔補助器具。
【請求項５】
前記上部マウスピースの後面側に舌上面に当接する面を有し、当該面に複数の突起が形成された舌クリーナーが設けられる請求項１から４のいずれか１項に記載の美顔補助器具。
【請求項６】
請求項１から６のいずれか１項に記載の美顔補助具と、外表面に突起が設けられた指サックとからなる美顔補助セット。
【考案の詳細な説明】
【技術分野】
【０００１】
本考案は、マウスピース型の美顔補助器具に関する。
【背景技術】
【０００２】
ほうれい線の予防や改善のために有効な方法として、ほうれい線の裏側に指を入れて伸ばすようにマッサージすることが知られている。このような方法は、指が口腔内に入るので抵抗感を持つ人も多い。これに対して、下記特許文献には、上あご側マウスピースの前面側に突起（バルジ）を設けた器具が示されている。このような器具によれば、マウスピースを口の中に入れ、唇を上下左右に動かすようにすれば、ほうれい線を内側から伸ばすことができ、より衛生的にほうれい線の予防改善が可能となる。
【先行技術文献】
【特許文献】
【０００３】
【特許文献１】特表２０１０−５０７４１５号公報
【考案の概要】
【考案が解決しようとする課題】
【０００４】
ところで、上記のようにほうれい線を内側から伸ばすようにマッサージすることは、一時的にほうれい線を薄くする効果があるが、恒久的な効力は弱い。ほうれい線をより効果的に予防し改善するためには、顔の筋肉を鍛えることで、顔の内部に張りを与え、リンパ液や血流の流れをよくすることが有用である。上記特許文献１に記載の考案も、口唇回りの筋肉はある程度鍛えることができるが、負荷が弱く、範囲が狭いので、顔の筋肉を鍛えるという点では効果も限定的である。
本考案は、このような問題に鑑みて、上あごに装着されるマウスピース表面に突起を設けることでほうれい線の予防改善を行う美顔補助器具において、より効果を高めるべく顔回りの筋肉を鍛えることができるようにすることを課題とする。
【課題を解決するための手段】
【０００５】
上記課題を解決するために、本考案は、次のような構成を有する。
請求項１に記載の考案は、上あごの歯に装着される上部マウスピースと、前記上部マウスピースの前面側に設けられる突起と、前記上部マウスピースの下面側に設けられる弾性部材からなる噛み締め部材とを有する美顔補助具である。
請求項２に記載の考案は、前記美顔補助具において、前記上部マウスピースは歯に装着する穴が歯肉に達する深さを有するものであって、歯肉に面する内面に歯肉に当接する多数の突起が設けられるものである。
請求項３に記載の考案は、前記美顔補助具において、さらに、下あごの歯に装着される下部マウスピースを有し、当該下部マウスピースの上面側は前記かみ締め部材の下面に接合しているものである。
請求項４に記載の考案は、請求項３に記載の美顔補助具において、前記上部マウスピースは歯肉に達する深さを有するものであって、歯肉に面する内面に歯肉に当接する多数の突起が設けられるものである。
請求項５に記載の考案は、前記美顔補助具において、前記上部マウスピースの後面側に舌上面に当接する面を有し、当該面に複数の突起が形成された舌クリーナーが設けられるものである。
請求項６に記載の考案は、前記美顔補助具と、外表面に突起が設けられた指サックとからなる美顔補助セットである。
【考案の効果】
【０００６】
以上のような構成により、本考案は、次のような効果を奏する。
請求項１に記載の考案は、上部マウスピースを歯に装着した状態で、唇を上下左右に動かすとともに、噛み締め部材を顎で噛んで緩める動作を繰り返す。このような動作により、突起によってほうれい線の内側が伸ばされてマッサージされるとともに、噛み締め部材を噛むことで、咬筋、側頭筋、内側翼突筋、外側翼突筋からなる咀嚼筋群に負荷がかかり、これらを鍛えることができる。さらに咀嚼筋群は顔の広い範囲を占めるので、顔全体の血流が増すとともにリンパ液の流れも促進されることでほうれい線回りの老廃物が流れ、また、こわばりが低減して柔軟になり、咀嚼筋群が鍛えられることで顔が全体として締まるのでこれによってもほうれい線の予防改善に資することができる。
【０００７】
請求項２に記載の考案は、ほうれい線のマッサージに連動して、上あごの歯肉が多数の突起によりマッサージされることで上あご歯肉の血行を促進し歯肉炎の予防改善に資することができる。
請求項３に記載の考案は、下部マウスピースを設けることで噛み締め部材の位置が安定し、また、噛みながら顎を前後左右に動かす場合により大きな負荷を与えることができる。
請求項４に記載の考案は、ほうれい線のマッサージに連動して、下あごの歯肉が多数の突起によりマッサージされることで下あご歯肉の血行を促進し歯肉炎の予防改善に資することができる。
請求項５に記載の考案は、ほうれい線のマッサージとともに舌を舌クリーナーに押し付けながら前後させることで、舌苔を除去して口臭を予防できるとともに舌の筋肉を鍛えて舌圧を上げることで、誤嚥性肺炎や嚥下障害の予防に資することができる。
請求項６に記載の考案は、ほうれい線のマッサージを行う際に、頬の外表面側からもほうれい線近傍を指に嵌めた指サックの突起で擦るようにマッサージすることで、ほうれい線の予防改善をより効果的に実現することができる。
【図面の簡単な説明】
【０００８】
【図１】（ａ）は実施形態に係る美顔補助具の斜視図であり、（ｂ）は同美顔補助具の平面図である。
【図２】実施形態に係る指サックの斜視図である。
【図３】第１の変形例に係る美顔補助具の斜視図である。
【図４】（ａ）は第２の変形例に係る美顔補助具の背面斜視図であり、（ｂ）は同美顔補助具の底面図である。
【図５】第３の変形例に係る美顔補助具の斜視図である。
【図６】第４の変形例に係る美顔補助具の斜視図である。
【図７】第５の変形例に係る美顔補助具の斜視図である。
【考案を実施するための形態】
【０００９】
以下、本考案の実施の形態について、図面を参照しながら説明する。
図１（ａ）に本実施形態に係る美顔補助具Ｘの斜視図を示し、図１（ｂ）に美顔補助具Ｘの平面図を示す。美顔補助具Ｘは、上部マウスピース１０、下部マウスピース２０、突起３０、噛み締め部材４０から構成される。
上部マウスピース１０は、上あごの歯に嵌るマウスピースであり、成人女性の平均的な上あご及び歯の大きさに合わせて形成される。歯が挿入される上部の穴１１は歯肉に達する深さを有する。
下部マウスピース２０は、下あごの歯に嵌るマウスピースであり、成人女性の平均的な下あご及び歯の大きさに合わせて形成される。歯が挿入される図示しない下部の穴は歯肉に達する深さを有する。
突起３０は上部マウスピースの前側側面に設けられる突起で、ここでは当該側面の円弧に沿って凹凸が順次繰り返すような形状に形成される。突起３０は上部マウスピース１０に一体に成型される。
噛み締め部４０は、上部マウスピース１０と下部マウスピース２０との間に設けられるもので、シリコーンゴム等の弾性体により形成される。ここでは噛み締め部４０は複数の円筒体を歯の並びに沿って配置した形状をしており、上部マウスピース１０と下部マウスピース２０のそれぞれに接着固定される。
【００１０】
次に、以上のような構成を有する美顔補助具Ｘの使用方法について説明する。使用者は上部マウスピース１０を上あごに装着し、下部マウスピース２０を下あごに装着して、唇を閉じる。これにより上唇の上縁から上の部分が突起３０によって裏面から前方に押し出される。この状態で唇を上下及び左右に動かすことで、ほうれい線の裏側およびその周囲がマッサージされる。これと同時に歯で噛み締め部４０を噛んだり緩めたりする動きや、噛み締めたまま前後左右に動かす動きをする。これによって、咀嚼筋群に負荷がかかることで鍛えられるとともに、血行やリンパの流れがよくなる。この２つの運動の相乗効果によって、効果的にほうれい線の予防改善を行うことができる。
【００１１】
なお、上記実施形態では口腔内からのみのマッサージを行ったが、顔の表面のマッサージを加えるとより効果的である。このために、図２に示すような指サックＡを用いることができる。指サックＡは、シリコーンゴム等のエラストマーやポリウレタン等の合成樹脂を薄く形成した指サック本体に指の腹部分に複数の突起ａ1を一体形成したものである。このような指サックＡを用いて、美顔補助具Ｘの突起３０でほうれい線部分を内側から押圧すると同時に、ほうれい線の外側を伸ばすように横方向に移動させながらマッサージを行うとほうれい線の予防改善をより効果的に行うことができる。なお、指サックＡの突起の形状や数は、ブラシ状にしたり、板を複数並べたような形状にしたり等適宜変更することができる。
【００１２】
また、図３の平面図に示す美顔補助具Ｙのように上部マウスピース１０及び／又は下部マウスピース２０の歯を挿入する穴の歯肉に面する内面に複数の内側に向かう突起である歯肉用突起５０を設けることができる。このような歯肉用突起５０を設けることにより、上述のような口腔内におけるマッサージをする際に、歯肉が歯肉用突起５０によって刺激を受け、血行が促進されるので、歯肉炎の予防や改善を図ることができる。また、歯肉には多数のツボがあることが知られており、これらのツボを刺激することにより健康増進の効果も期待できる。
【００１３】
上記実施形態において、さらに図４（ａ）（ｂ）に背面斜視図及び底面図を示す美顔補助具Ｚのように舌部マッサージ部６０を設けることもできる。舌部マッサージ部６０は、やや上方に湾曲した板体であり上部マウスピース１０の裏面に固定されている。舌部マッサージ部６０の裏面にはブラシ状に形成される多数の小突起からなる舌部用突起６１が設けられている。使用に際しては、上述のような口腔内におけるマッサージをする際に、舌の上面を舌部マッサージ部６０の裏面に押し当てながら舌を前後に動かす。このような動作により、舌部用突起６１が舌苔を除去して口臭の予防改善が図られ、さらに、舌の筋肉が鍛えられるので舌圧を上がり、誤嚥性肺炎や嚥下障害の予防になる。また、味覚障害を防いで、滑舌を良くする効果も期待できる。
【００１４】
さらに、上記実施形態における突起３０の形状も適宜変更してよく、図５に示す美顔補助具Ｖのように半球状の突起は並べたり、図６に示す美顔補助具Ｗのように全体にわたって長い突起を形成したり、ブラシ状に細かな突起を多数配置したり等、種々の形状や数を選択することが可能である。
同様に、噛み締め部４０の形状や素材も適宜変更することができる。即ち、水添スチレン系熱可塑性エラストマー、ウレタンゴム、天然ゴム等種々の弾性素材を用いることができ、樹脂バネや金属バネを用いることも可能である。形状も、図６に示す美顔補助具Ｗのように、上部マウスピース１０と下部マウスピース２０との間を全部埋めるような形状や、図４（ａ）に示すように奥歯近傍部分のみに設ける等適宜選択することが可能である。
それから、ほうれい線マッサージという観点からは、図７に示すよう美顔補助具Ｒのように下部マウスピース２０は省略することもできる。このようにすることで、コンパクトとなり収納性が高くなる。ただし、下部マウスピース２０がある方が噛み締め部４０を噛む運動をする際に、動きが安定するので、下部マウスピース２０を省略するかどうかは市場の状況等を考慮して適宜選択することができる。
また、上記実施形態では、各マウスピースを平均的な成人女性に合うように形成しているが、成人男性用のものや、使用者ごとにオーダーメードするなど、使用者に応じた大きさ形状にしてよいことはいうまでもない。
【符号の説明】
【００１５】
Ｘ、Ｙ、Ｚ、Ｖ、Ｗ、Ｒ  美顔補助具
Ａ  指サック
１０  上部マウスピース
２０  下部マウスピース
３０  突起
４０  噛み締め部
５０  歯肉用突起
６０  舌部マッサージ部
６１  舌部用突起
【図１】
0003193538.tif 000003
【図２】
0003193538.tif 000004
【図３】
0003193538.tif 000005
【図４】
0003193538.tif 000006
【図５】
0003193538.tif 000007
【図６】
0003193538.tif 000008
【図７】
0003193538.tif 000009